(57)【要約】【課題】  回路規模の小さい画像表示制御装置を提供する。【解決手段】  回路規模の小さい画像表示制御装置１０３は、リソース部１３２のリソースユニット６１０を用いて、画像信号から画像の状態を検出する画像状態検出部１２０と、画像状態検出１２０が検出した画像の状態を基に、リソース部１３２のリソースユニット６１０を用いて画像信号を変換する画像信号変換部１４０と、クロック部１３５から出力される動作クロックのカウント数に応じて、画像状態検出部１２０および画像信号変換部１４０のそれぞれに、リソース部１３２のリソースユニット６１０を割り当てるリソース制御部１３１とを備える。【選択図】      図１
2004191950.tif 000002
【特許請求の範囲】
【請求項１】
入力された画像信号を基に画像を表示する液晶表示画面の液晶の透過率を制御するとともに、前記画像信号を基に前記液晶表示画面の裏側から照明するバックライトの発光光量を前記液晶の透過率に対応させて制御する画像表示制御装置であって、
前記画像信号から画像の状態を検出する画像状態検出手段と、
前記画像状態検出手段が検出した画像の状態を基に、前記画像信号に対して一定の信号処理を施すことにより、前記画像信号を変換し、変換した画像信号を基に前記液晶の透過率を制御する画像信号変換手段と、
前記画像状態検出手段および前記画像信号変換手段のそれぞれに算術演算を行うための算術演算リソースを所定のタイミングで排他的に割り当てるリソース制御手段とを備え、
前記画像状態検出手段は、割り当てられた前記算術演算リソースを用いて画像の状態を検出し、
前記画像信号変換手段は、割り当てられた前記算術演算リソースを用いて前記画像信号を変換する
ことを特徴とする画像表示制御装置。
【請求項２】
前記画像表示制御装置はさらに、前記画像信号におけるＲＧＢからなる色の成分信号を、少なくとも色の輝度信号および彩度信号を含む色の情報信号に変換し前記画像信号変換手段に出力する色空間変換手段を備え、
前記リソース制御手段は、前記色空間変換手段に所定のタイミングで前記算術演算リソースを排他的に割り当て、
前記色空間変換手段は、割り当てられた前記算術演算リソースを用いて前記色の成分信号を前記色の情報信号に変換する
ことを特徴とする請求項１記載の画像表示制御装置。
【請求項３】
前記画像表示制御装置はさらに、前記画像信号変換手段が変換した画像信号を、少なくとも輝度信号および彩度信号を含む色の情報信号から、ＲＧＢからなる色の成分信号に変換し出力する第２の色空間変換手段を備え、
前記リソース制御手段は、前記第２の色空間変換手段に所定のタイミングで前記算術演算リソースを排他的に割り当て、
前記第２の色空間変換手段は、割り当てられた前記算術演算リソースを用いて前記色の情報信号を前記色の成分信号に変換する
ことを特徴とする請求項２記載の画像表示制御装置。
【請求項４】
前記画像信号変換手段は、前記画像状態検出手段が検出した画像の状態を基に、前記色空間変換手段が出力する輝度信号を変換する輝度変換部と、前記画像状態検出手段が検出した画像の状態を基に、前記色空間変換手段が出力する彩度信号を変換する彩度変換部とを備え、
前記リソース制御手段は、所定のタイミングで前記輝度変換部に前記算術演算リソースを排他的に割り当てるとともに、所定のタイミングで前記彩度変換部に前記算術演算リソースを排他的に割り当て、
前記輝度変換部は、割り当てられた前記算術演算リソースを用いて前記輝度信号を変換し、
前記彩度変換部は、割り当てられた前記算術演算リソースを用いて前記彩度信号を変換する
ことを特徴とする請求項３記載の画像表示制御装置。
【請求項５】
前記画像表示制御装置は、さらに、クロック信号を発生するクロック信号発振手段を備え、
前記リソース制御手段は、前記クロック信号発振手段が発生するクロック信号の周期の経過をカウントし、カウント数に応じて前記算術演算リソースを割り当てる
ことを特徴とする請求項４記載の画像表示制御装置。
【請求項６】
前記画像状態検出手段、前記画像信号変換手段、前記色空間変換手段、および前記第２の色空間変換手段は、前記画像信号における画素毎に所定の処理を行い、
前記画像信号における前記各画素の入力される時間間隔は、前記クロック信号発振手段が発生するクロック信号の周期よりも長い
ことを特徴とする請求項５記載の画像表示制御装置。
【請求項７】
前記画像表示制御装置は、前記算術演算リソースを具備するリソースユニットを複数備え、
前記リソース制御手段は、前記算術演算リソースを割り当てる割り当て対象が行う処理に応じた数の前記リソースユニットを前記割り当て対象に割り当てる
ことを特徴とする請求項６記載の画像表示制御装置。
【請求項８】
前記算術演算器は乗算器である
ことを特徴とする請求項７記載の画像表示制御装置。
【請求項９】
前記画像状態検出手段は、前記画像信号からフレーム毎に画像の状態を検出し、
前記画像信号変換手段は、前記画像状態検出手段が検出した１フレームの画像の状態を基に、それより後に入力されるフレームの画像信号を変換する
ことを特徴とする請求項８記載の画像表示制御装置。
【請求項１０】
入力された画像信号を基に画像を表示する液晶表示画面の液晶の透過率を制御するとともに、前記画像信号を基に前記液晶表示画面の裏側から照明するバックライトの発光光量を前記液晶の透過率に対応させて制御する画像表示制御装置による画像表示制御方法であって、
前記画像信号から画像の状態を検出する画像状態検出ステップと、
前記画像状態検出ステップで検出した画像の状態を基に、前記画像信号に対して一定の信号処理を施すことにより、前記画像信号を変換し、変換した画像信号を基に前記液晶の透過率を制御する画像信号変換ステップと、
前記画像状態検出ステップを行う画像状態検出手段、および前記画像信号変換ステップを行う画像信号変換手段に算術演算を行うための算術演算リソースを所定のタイミングで排他的に割り当てるリソース制御ステップとを含み、
前記画像状態検出ステップにおいて、前記画像状態検出手段は割り当てられた前記算術演算リソースを用いて画像の状態を検出し、
前記画像信号変換ステップにおいて、前記画像信号変換手段は割り当てられた前記算術演算リソースを用いて前記画像信号を変換する
ことを特徴とする画像表示制御方法。
【請求項１１】
前記リソース制御ステップでは、クロック信号発振器から出力されるクロック信号の周期の経過をカウントし、カウント数に応じて前記算術演算リソースを割り当てる
ことを特徴とする請求項１０記載の画像表示制御方法。
【請求項１２】
入力された画像信号を基に画像を表示する液晶表示画面の液晶の透過率を制御するとともに、前記画像信号を基に前記液晶表示画面の裏側から照明するバックライトの発光光量を前記液晶の透過率に対応させて制御する画像表示制御装置が実行するプログラムであって、
前記画像信号から画像の状態を検出する画像状態検出ステップと、
前記画像状態検出ステップで検出した画像の状態を基に、前記画像信号に対して一定の信号処理を施すことにより、前記画像信号を変換し、変換した画像信号を基に前記液晶の透過率を制御する画像信号変換ステップと、
前記画像状態検出ステップを行う画像状態検出手段、および前記画像信号変換ステップを行う画像信号変換手段に算術演算を行うための算術演算リソースを所定のタイミングで排他的に割り当てるリソース制御ステップとを含み、
前記画像状態検出ステップにおいて、前記画像状態検出手段は割り当てられた前記算術演算リソースを用いて画像の状態を検出し、
前記画像信号変換ステップにおいて、前記画像信号変換手段は割り当てられた前記算術演算リソースを用いて前記画像信号を変換する
ことを特徴とするプログラム。
【請求項１３】
画像を表示する液晶表示画面と、前記液晶表示画面の裏側から照明するバックライトと、入力された画像信号を基に前記液晶表示画面の液晶の透過率を制御するとともに、前記画像信号を基にバックライトの発光光量を前記液晶の透過率に対応させて制御する画像表示制御装置とを備える画像表示装置であって、
前記画像表示制御装置は、
前記画像信号から画像の状態を検出する画像状態検出手段と、
前記画像状態検出手段が検出した画像の状態を基に、前記画像信号に対して一定の信号処理を施すことにより、前記画像信号を変換し、変換した画像信号を基に前記液晶の透過率を制御する画像信号変換手段と、
前記画像状態検出手段および前記画像信号変換手段のそれぞれに算術演算を行うための算術演算リソースを所定のタイミングで排他的に割り当てるリソース制御手段とを備え、
前記画像状態検出手段は、割り当てられた前記算術演算リソースを用いて画像の状態を検出し、
前記画像信号変換手段は、割り当てられた前記算術演算リソースを用いて前記画像信号を変換する
ことを特徴とする画像表示装置。
【発明の詳細な説明】
【技術分野】
【０００１】
本発明は、入力された画像信号を基に画像を表示する液晶表示画面の透過率を制御するとともに、画像信号を基に液晶表示画面の裏側から照明するバックライトの発光光量を液晶の透過率に対応させて制御する画像表示制御装置等に関する。
【背景技術】
【０００２】
近年、例えばいわゆるノート型パーソナルコンピュータ（以下、ノートパソコンと略記する）等の携帯型情報機器における画像表示装置として、液晶表示画面を調整する装置が広く使用されている。このような画像表示装置は、画像データに基づいて液晶表示画面の画素毎に液晶の透過率を調整するとともに、その液晶表示画面をバックライトで裏側から照明し、これによりその液晶表示画面に画像を表示している。
【０００３】
液晶表示画面は薄くコンパクトであるためノートパソコン等の携帯型情報機器に多用されているが、そのバックライトの消費電力は５Ｗ程度であって、ノートパソコンを例にとると、そのノートパソコン全体の消費電力の１／４から１／２程度に達している。携帯型情報機器は、通常、電池などで動作するように構成されているため、いかにして省電力化を図るかが大きな問題である。
【０００４】
従来の画像表示装置について図面を用いて説明する。
図２０は、従来の画像表示装置の構成を示すブロック図である。
画像表示装置は、液晶表示画面９２０とバックライト９２１の発光光量を制御する画像表示制御装置９００とを備えている。画像表示制御装置９００では、データ解析部９０１が画像メモリ９１０から入力される画像データから、画像の輝度を上昇させることのできる余裕度を求め、データ調整部９０２はその求めた余裕度に基づいて画像データの輝度を調整し、その調整された画像データを基に画像コントローラ９０３が駆動信号を生成して、液晶表示画面９２０に画像を表示させる。また、データ解析部９０１が求めた余裕度に応じて、調光部９０４がバックライト９２１の発光光量を調整する。
【０００５】
これにより、画像表示制御装置９００は、液晶表示画面９２０の透過率をできるだけ上げるように画像データを調整し、その分バックライト９２１の発光光量を下げるように調整して、画像データの調整およびバックライトの発光光量の調整を行わなかったときと変わりのない画像を表示して省電力化を図るようにしている（例えば、特許文献１参照）。
【特許文献１】特開平１１−６５５３１号公報（全文）
【発明の開示】
【発明が解決しようとする課題】
【０００６】
しかしながら、このような画像表示装置における画像表示制御装置９００は、データ解析部９０１やデータ調整部９０２等で乗算器等の資源（リソース）を多く使用している。そのため、画像表示制御装置の回路規模が大きくなってしまい、ノートパソコンなどの携帯型情報機器にその画像表示制御装置を搭載した場合には、その携帯情報機器が大型化してしまうという問題がある。
【０００７】
そこで、本発明は、かかる問題点に鑑みてなされたものであって、回路規模の小さい画像表示制御装置および画像表示装置を提供することを目的とする。
【課題を解決するための手段】
【０００８】
上記目的を達成するために、本発明に係る画像表示制御装置は、入力された画像信号を基に画像を表示する液晶表示画面の液晶の透過率を制御するとともに、前記画像信号を基に前記液晶表示画面の裏側から照明するバックライトの発光光量を前記液晶の透過率に対応させて制御する画像表示制御装置であって、前記画像信号から画像の状態を検出する画像状態検出手段と、前記画像状態検出手段が検出した画像の状態を基に、前記画像信号に対して一定の信号処理を施すことにより、前記画像信号を変換し、変換した画像信号を基に前記液晶の透過率を制御する画像信号変換手段と、前記画像状態検出手段および前記画像信号変換手段のそれぞれに算術演算を行うための算術演算リソースを所定のタイミングで排他的に割り当てるリソース制御手段とを備え、前記画像状態検出手段は、割り当てられた前記算術演算リソースを用いて画像の状態を検出し、前記画像信号変換手段は、割り当てられた前記算術演算リソースを用いて前記画像信号を変換することを特徴とする。
【０００９】
これによって、リソース制御手段が画像状態検出手段および画像信号変換手段のそれぞれに算術演算リソースを所定のタイミングで排他的に割り当て、画像状態検出手段は、割り当てられた算術演算リソースを用いて画像の状態を検出し、画像信号変換手段は、割り当てられた算術演算リソースを用いて前記画像信号を変換するため、画像状態検出手段と画像信号変換手段が算術演算リソースを共同で用いることが可能となり、画像状態検出手段と画像信号変換手段のそれぞれに対して算術演算リソースを設ける必要がなくなる。そのために、画像表示制御装置の算術演算リソースを大幅に削減することができ、画像表示制御装置の回路規模を小さくすることができる。
【００１０】
また、前記画像表示制御装置はさらに、前記画像信号におけるＲＧＢからなる色の成分信号を、少なくとも色の輝度信号および彩度信号を含む色の情報信号に変換し前記画像信号変換手段に出力する色空間変換手段を備え、前記リソース制御手段は、前記色空間変換手段に所定のタイミングで前記算術演算リソースを排他的に割り当て、前記色空間変換手段は、割り当てられた前記算術演算リソースを用いて前記色の成分信号を前記色の情報信号に変換するとしてもよい。
【００１１】
これによって、画像状態検出手段と画像信号変換手段に加えて、さらに色空間変換手段が共同で上述した算術演算リソースを用いるため、画像表示制御装置の算術演算リソースを大幅に削減することができ、画像表示制御装置の回路規模を小さくすることができる。
【００１２】
また、前記画像表示制御装置はさらに、前記画像信号変換手段が変換した画像信号を、少なくとも輝度信号および彩度信号を含む色の情報信号から、ＲＧＢからなる色の成分信号に変換し出力する第２の色空間変換手段を備え、前記リソース制御手段は、前記第２の色空間変換手段に所定のタイミングで前記算術演算リソースを排他的に割り当て、前記第２の色空間変換手段は、割り当てられた前記算術演算リソースを用いて前記色の情報信号を前記色の成分信号に変換するとしてもよい。
【００１３】
これによって、画像状態検出手段、画像信号変換手段、および色空間変換手段に加えてさらに第２の色空間変換手段が共同で上述した算術演算リソースを用いるため、画像表示制御装置の算術演算リソースを大幅に削減することができ、画像表示制御装置の回路規模を小さくすることができる。
【００１４】
また、前記画像表示制御装置は、さらに、クロック信号を発生するクロック信号発振手段を備え、前記リソース制御手段は、前記クロック信号発振手段が発生するクロック信号の周期の経過をカウントし、カウント数に応じて前記算術演算リソースを割り当てることを特徴としても良い。
これによって、リソース制御手段は所定のタイミングで算術演算リソースの割り当てを行うことができる。
【００１５】
また、前記画像状態検出手段、前記画像信号変換手段、前記色空間変換手段、および前記第２の色空間変換手段は、前記画像信号における画素毎に所定の処理を行い、前記画像信号における前記各画素の入力される時間間隔は、前記クロック信号発振手段が発生するクロック信号の周期よりも長いとしてもよい。
【００１６】
これによって、リソース制御部はクロック信号の周期経過のカウント数に応じて、画像状態検出手段、画像信号変換手段、色空間変換手段、および第２の色空間変換手段がそれぞれの処理を行うことのできるように、算術演算リソースを割り当てることが可能となる。
【００１７】
また、本発明に係る画像表示制御方法は、入力された画像信号を基に画像を表示する液晶表示画面の液晶の透過率を制御するとともに、前記画像信号を基に前記液晶表示画面の裏側から照明するバックライトの発光光量を前記液晶の透過率に対応させて制御する画像表示制御装置による画像表示制御方法であって、前記画像信号から画像の状態を検出する画像状態検出ステップと、前記画像状態検出ステップで検出した画像の状態を基に、前記画像信号に対して一定の信号処理を施すことにより、前記画像信号を変換し、変換した画像信号を基に前記液晶の透過率を制御する画像信号変換ステップと、前記画像状態検出ステップを行う画像状態検出手段、および前記画像信号変換ステップを行う画像信号変換手段に算術演算を行うための算術演算リソースを所定のタイミングで排他的に割り当てるリソース制御ステップとを含み、前記画像状態検出ステップにおいて、前記画像状態検出手段は割り当てられた前記算術演算リソースを用いて画像の状態を検出し、前記画像信号変換ステップにおいて、前記画像信号変換手段は割り当てられた前記算術演算リソースを用いて前記画像信号を変換することを特徴とする。
【００１８】
なお、本発明は、上記画像表示制御方法におけるすべてのステップをコンピュータに実行させるプログラムや、そのプログラムを格納する記憶媒体や、上記画像表示制御装置と液晶表示画面とを備える画像表示装置としても実現することができる。
画像表示装置として実現した場合には、画像表示装置全体の小型化を図ることができるという作用効果を奏する。
【発明の効果】
【００１９】
本発明の画像表示制御装置は、算術演算リソースの共有化を図ることにより、算術演算リソースを大幅に削減することができ、画像表示制御装置の回路規模を小さくすることができるという効果を奏する。
【発明を実施するための最良の形態】
【００２０】
以下、本発明の実施の形態について図面を用いて説明する。
図１は、本発明の画像表示装置の構成を示すブロック図である。
画像表示装置１００は、携帯電話やノートパソコンなどの携帯情報機器に搭載されるものであって、液晶の透過率に応じた画像を表示する液晶表示画面１０１と、液晶表示画面１０１を裏側から照明するバックライト１０２と、入力された画像信号を基に液晶表示画面１０１の液晶の透過率を調整するとともにバックライトの発光光量を液晶の透過率に対応させて調整する機能を有する画像表示制御部１０３とから構成される。
【００２１】
この画像表示制御部１０３は、増色処理部１１１と、第１色空間変換部１１２と、輝度変換部１１３および彩度変換部１１４からなる画像信号変換部１４０と、第２色空間変換部１１５と、減色処理部１１６と、出力信号選択部１１７と、最大値検出部１１８および合計値計算部１１９からなる画像状態検出部１２０と、パラメータ決定部１２１と、ディスプレイコントローラ１２２と、データ解析部１２３と、バックライト調整部１２４と、リソース制御部１３１と、クロック部１３５と、乗数テーブル６０４および乗算器６０５からなるリソースユニット６１０を複数具備するリソース部１３２などから構成される。
【００２２】
このような画像表示制御部１０３では、画像状態検出部１２０が増色処理部１１１および第１色空間変換部１１２を介して取得した画像信号を基に、１静止画像（以後、１フレームと称する）毎の画像の状態を検出し、その画像の状態に応じて画像信号変換部１４０が画像の輝度信号および彩度信号を変換する。その結果、画像表示制御部１０３は、液晶表示画面１０１の液晶の透過率を調整するための制御信号を出力するとともに、上記画像の状態に応じて、バックライト１０２の発光光量を調整するための制御信号を出力する。
【００２３】
リソース制御部１３１は、クロック部１３５から一定時間間隔で発振される動作クロック（クロック信号）の周期をカウントし、そのカウント数に応じて、リソース部１３２の乗数テーブル６０４および乗算器６０５などの算術演算リソースを、画像表示制御部１０３における輝度変換部１１３や彩度変換部１１４などの各部に使用可能となるように割り当てる。すなわち、画像表示制御部１０３の各部は、リソース部１３２の算術演算リソースを共同で使用している。また、このクロック部１３５から発振される動作クロックに基づいて、画像表示制御部１０３の各部は動作している。
【００２４】
ここで、画像表示制御部１０３に入力される画像信号について図２を参照して説明する。
図２は、画像表示制御部１０３に入力される画像信号における１フレームの画像信号を表す説明図である。
図２に示すように、１フレームの画像信号は、水平方向および垂直方向にそれぞれ区切られ、区切られた矩形の最小単位を画素という。各画素は、色の成分であるＲ成分、Ｇ成分、およびＢ成分で一意に表される１つの属性を持っている。
【００２５】
図２のように１フレームの画像信号において水平方向をＸ軸、垂直方向をＹ軸とし、１フレームの左上角の座標を（０，０）とすると、各画素の位置は座標値（ｘ，ｙ）で表される。図２では、１フレームの画像信号は水平方向にＭ＋１個（Ｍ＋１は２以上の正の整数）の画素に分割され、垂直方向にＮ＋１個（Ｎ＋１は２以上の正の整数）の画素に分割されている。
【００２６】
この１フレームの画像信号は、まず水平方向における最上段の座標（０，０）、座標（１，０）、座標（２，０）、・・・、座標（Ｍ，０）で示される画素の順、次いで、次の段の座標（０，１）、座標（１，１）、座標（２，１）、・・・、座標（Ｍ，１）で示される画素の順に、左から右へ、上段から下段に向かって、画像表示制御部１０３に順に入力されて処理される。以下の画素も同様にして順次処理され、最後に水平方向の一番下段の座標（０，Ｎ）、座標（１，Ｎ）、座標（２，Ｎ）、・・・、座標（Ｍ，Ｎ）で示される画素の順に処理される。
【００２７】
このように、画像表示制御部１０３に入力される画像信号の１フレーム分の画像信号では、各画素の属性を表す個々の画素が上述した処理を行う順にシリアルに配置されている。
【００２８】
次に、画像表示制御部１０３の各部について詳細に説明する。
図３は、増色処理部１１１の構成を示すブロック図である。増色処理部１１１は、色分解部３０１と、Ｒ成分増色部３０２と、Ｇ成分増色部３０３と、Ｂ成分増色部３０４とから構成され、入力される画像信号を画素毎に色のＲＧＢ成分である成分信号Ｒ、成分信号Ｇ、および成分信号Ｂに分解し、分解した各色の成分信号の階調を変更して出力する。
【００２９】
色分解部３０１は、図１に示すパラメータ決定部１２１が決定したパラメータ値に応じて、入力された画像信号を各々が５ビットあるいは６ビットで表される成分信号Ｒ、成分信号Ｇ、および成分信号Ｂに分解する。
このパラメータ値は、パラメータ決定部１２１がキーボードなどの図示しない操作部からのユーザによる入力を受け付け、そのユーザからの入力に基づいて決定した値や、フレーム毎の画像の状態に応じて演算によって決定した値である。
【００３０】
ここでユーザからの入力による指示は、色分解部３０１が画像信号を５ビットあるいは６ビットで表される各成分信号に分解することに対応している。
図４（ａ）は、各色の成分信号の階調を変更する前における画素毎の画像信号を示す図である。図４（ａ）に示すように、座標（０，０）、座標（１，０）、座標（２，０）の各画素は、成分信号Ｒのビット深度が５ビット、成分信号Ｇのビット深度が６ビット、成分信号Ｂのビット深度が５ビットで表されている。この各画素におけるビットでの表現は、液晶表示画面１０１の表示に対応したフォーマットになっている。
【００３１】
このように分解して得られた各色の成分信号について、上述したＲ成分増色部３０２と、Ｇ成分増色部３０３と、Ｂ成分増色部３０４はそれぞれ、各成分信号の階調が高くなるように、パラメータ決定部１２１が決定したパラメータ値に基づいてフォーマットの変更を行う。
【００３２】
図４（ｂ）は、各色の成分信号の階調の変更後における画素毎の画像信号の一例を示す図である。図４（ｂ）に示すように、座標（０，０）、座標（１，０）、座標（２，０）の各画素は、成分信号Ｒ、成分信号Ｇ、および成分信号Ｂのビット深度が８ビットで表されている。
この色の階調を変更する例として、Ｒ成分増色部３０２が、色の階調が５ビットである成分信号から色の階調が８ビットである成分信号に変更した状態を説明する。
【００３３】
図５は、色の成分の階調を変更するときの一例を示す模式図である。
図５に示すように、成分信号３１１は、Ｒ成分増色部３０２に入力される色の階調が５ビットである信号であり、成分信号３１２は、Ｒ成分増色部３０２から出力される色の階調が８ビットである信号である。
【００３４】
このとき、Ｒ成分増色部３０２は、色の階調が５ビットである成分信号３１１の上位３ビットをその成分信号３１１の下位に付加して、色の階調が８ビットの成分信号３１２に変更している。
ここで、パラメータ決定部１２１へのユーザからの入力による指示は、Ｒ成分増色部３０２と、Ｇ成分増色部３０３と、Ｂ成分増色部３０４が各色の成分信号における色の階調を５ビットあるいは６ビットから８ビットに変更することに対応している。
このように、増色処理部１１１が色の階調を高く変更することで、後に続く処理において精度の高い処理を行うことができ、最終的に出力される画像信号は高品位なものになる。
【００３５】
図６は、第１色空間変換部１１２の構成を示すブロック図である。
第１色空間変換部１１２は、大小関係検出部５０１と、色相計算部５０２と、輝度計算部５０３と、第１彩度計算部５０４と、第２彩度計算部５０５とから構成され、増色処理部１１１から出力される成分信号Ｒ、成分信号Ｇ、成分信号Ｂを色相、輝度、彩度などの色の情報を持った情報信号に変換する。
【００３６】
大小関係検出部５０１は、増色処理部１１１から出力された各画素における成分信号Ｒ、成分信号Ｇ、および成分信号Ｂの中で、いずれが最大値、中間値、および最小値であるかの大小関係を検出する。入力される画像信号について、この大小関係検出部５０１が例えば成分信号Ｒが最大値であると検出すると、その画素は赤みがかっていることを示している。
【００３７】
色相計算部５０２は、増色処理部１１１から出力された成分信号Ｒ、成分信号Ｇ、および成分信号Ｂの信号値と、大小関係検出部５０１で検出した大小関係と、パラメータ決定部１２１が決定したパラメータ値とから、色の情報信号である色相信号Ｈを算出し、第２色空間変換部１１５に出力する。
輝度計算部５０３は、増色処理部１１１から出力された成分信号Ｒ、成分信号Ｇ、および成分信号Ｂの信号値と、大小関係検出部５０１で検出した大小関係と、パラメータ決定部１２１が決定したパラメータ値とから、色の情報信号である輝度信号Ｉを算出し、輝度変換部１１３と画像状態検出部１２０の最大値検出部１１８および合計値計算部１１９とに出力する。
【００３８】
第１彩度計算部５０４は、増色処理部１１１から出力された成分信号Ｒ、成分信号Ｇ、および成分信号Ｂの信号値と、大小関係検出部５０１で検出した大小関係と、パラメータ決定部１２１が決定したパラメータ値とから、色の情報信号である彩度信号Ｓ１を算出し、彩度変換部１１４と画像状態検出部１２０の合計値計算部１１９とに出力する。
第２彩度計算部５０４は、増色処理部１１１から出力された成分信号Ｒ、成分信号Ｇ、および成分信号Ｂの信号値と、大小関係検出部５０１で検出した大小関係と、パラメータ決定部１２１が決定したパラメータ値とから、色の情報信号である彩度信号Ｓ２を算出し、第２色空間変換部１０５に出力する。
【００３９】
図７は、色相計算部５０２、輝度計算部５０３、第１彩度計算部５０４、および第２彩度計算部５０５の内部構成を示すブロック図である。
色相計算部５０２、輝度計算部５０３、第１彩度計算部５０４、および第２彩度計算部５０５は、図７に示すように、それぞれ計算部６００を備えている。この計算部６００は、乗数決定部６０１、被乗数決定部６０２、および計算制御部６０３を具備し、取得した乗数データおよび被乗数データと、パラメータ決定部１２１が決定するパラメータ値とに基づいて、乗算のための処理を行い外部に乗算結果を出力する。
【００４０】
一方、リソース部１３２は、メモリテーブル形式の乗数テーブル６０４および乗算を行う乗算器６０５からなるリソースユニット６１０を複数備え、これらのリソースユニット６１０は計算部６００が行う計算のときに使用される。
乗数決定部６０１は、乗数データとパラメータ決定部１２１が決定したパラメータ値とを取得し、それらを引数として乗数テーブル６０４を参照して乗数を決定する。被乗数決定部６０２は、被乗数データとパラメータ決定部１２１が決定したパラメータ値とを取得し、これらを基に被乗数を決定する。
【００４１】
計算制御部６０３は、乗数決定部６０１が決定した乗数と被乗数決定部６０２が決定した被乗数とを乗算器６０５に出力し、乗算器６０５が乗数と被乗数とから乗算処理を行った結果を乗算器６０５から取得して外部に出力する。
上述した色相計算部５０２、輝度計算部５０３、第１彩度計算部５０４、および第２彩度計算部５０５において、乗数決定部６０１に入力される乗数データは、増色処理部１１１から出力される成分信号Ｒ、成分信号Ｇおよび成分信号Ｂに基づく値であり、被乗数決定部６０２に被乗数データとして入力される被乗数は、大小関係検出部５０１で検出した大小関係に基づく値である。
【００４２】
また、パラメータ決定部１２１が決定し、色相計算部５０２、輝度計算部５０３、第１彩度計算部５０４、第２彩度計算部５０５に出力されるパラメータ値は、各部によって異なる。またこのパラメータ値は、画像表示制御部１０３に入力される１フレームごとの画像信号に応じて変化する。
そして、色相計算部５０２、輝度計算部５０３、第１彩度計算部５０４、および第２彩度計算部５０５のそれぞれにおいて、計算部６００の計算制御部６０３から出力される計算結果が色相信号Ｈ、輝度信号Ｉ、彩度信号Ｓ１、および彩度信号Ｓ２となる。
【００４３】
上述した乗数テーブル６０４および乗算器６０５からなるリソースユニット６１０は、リソース部１３２に複数備えられ、画像表示制御部１０３の各部が共同で使用可能である。そして、リソース制御部１３１が後述する所定のタイミングでリソースユニット６１０を第１色空間変換部１１２に割り当てる。これにより、第１色空間変換部１１２の色相計算部５０２、輝度計算部５０３、第１彩度計算部５０４、および第２彩度計算部５０５は、そのタイミングにて乗数テーブル６０４および乗算器６０５を使用することができる。リソース制御部１３１が各部に割り当てるリソースユニット６１０の数は、各部が行う処理に応じて異なる。
【００４４】
即ち、本実施の形態における第１色空間変換部１１２は全体として、リソース部１３２のリソースユニット６１０に対して以下の式（１）に示す乗算を実行させることにより、成分信号Ｒ，Ｇ，Ｂを色相信号Ｈ、輝度信号Ｉ、彩度信号Ｓ１、および彩度信号Ｓ２に変換する。なお、式（１）に示すＳｃは、成分信号Ｒ，Ｇ，Ｂ及びパラメータ値に基づいて乗算テーブル６０４から決定された値である。
【００４５】
【数１】
2004191950.tif 000003
【００４６】
次に、画像表示制御部１０３に入力された画像信号において、１フレーム毎の画像の状態を検出する画像状態検出部１２０について説明する。画像状態検出部１２０は最大値検出部１１８と合計値計算部１１９を備えている。
【００４７】
図８は最大値検出部１１８の構成を示すブロック図である。最大値検出部１１８は、水平方向ローパスフィルタ部５５１と、水平方向最大値検出部５５２と、垂直方向ローパスフィルタ部５５３と、垂直方向最大値検出部５５４と、最大値保持部５５５とから構成され、第１色空間変換部１１２から出力される輝度信号Ｉからフレーム毎の各画素の最大輝度を検出し出力する。
【００４８】
水平方向ローパスフィルタ部５５１は、パラメータ決定部１２１から出力されるパラメータ値に基づいて、第１色空間変換部１１２から出力される輝度信号Ｉの水平方向の高周波成分を除去する。
このとき、水平方向ローパスフィルタ部５５１は、第１色空間変換部１１２から出力される輝度信号Ｉとパラメータ決定部１２１から出力されるパラメータ値とを基に乗数および被乗数を決定して、決定した乗数と被乗数をリソース部１３２に出力し、リソース部１３２の乗算器６０５が乗算して得られた乗算結果を乗算器６０５から取得する。そして、水平方向ローパスフィルタ５５１は、この取得した乗算結果に基づいて、第１色空間変換部１１２からシリアルで入力される輝度信号Ｉに対して高周波成分を除去し出力する。
【００４９】
図９は、水平方向ローパスフィルタ部５５１の動作を説明するための説明図である。
水平方向ローパスフィルタ部５５１は、フレーム内の水平方向に沿った各画素の輝度信号Ｉの変化率が所定の値以上になったときには、その変化率を一定の値とすることで、輝度信号Ｉの高周波成分を除去している。
即ち、水平方向ローパスフィルタ部５５１は、図９に示すように、第１色空間変換部１１２から各画素の輝度信号Ｉを取得し、水平方向の各画素の輝度信号Ｉの変化率ΔＩｉがＸ１未満である場合には、ΔＩｏ＝ａ１×ΔＩｉ＋ｂ１の演算を乗算器６０５に実行させることで、変化率ΔＩｉを変化率ΔＩｏに変換する。ここで、ａ１，ｂ１はパラメータ決定部１２１から出力されるパラメータ値に基づいて決定される。また、水平方向ローパスフィルタ部５５１は、変化率ΔＩｉがＸ１以上である場合には、ΔＩｏ＝ａ１×Ｘ１＋ｂ１（＝Ｙ１）の演算を乗算器６０５に実行させることで、変化率ΔＩｉを一定値に変換する。そして水平方向ローパスフィルタ部５５１は、変化率ΔＩｏに応じた輝度信号Ｉを水平方向最大値検出部５５２に対して出力する。
【００５０】
水平方向最大値検出部５５２は、水平方向ローパスフィルタ部５５１から出力された輝度信号Ｉにおいて、１フレーム毎の各水平方向の画素単位で最大値を検出し、輝度信号Ｉとともに検出結果を垂直方向ローパスフィルタ部５５３に出力する。
垂直方向ローパスフィルタ部５５３は、パラメータ決定部１２１から出力されるパラメータ値に基づいて、水平方向最大値検出部５５２から出力される輝度信号Ｉの垂直方向の高周波成分を除去する。
【００５１】
このとき、垂直方向ローパスフィルタ部５５３は、水平方向最大値検出部５５２から出力される輝度信号Ｉとパラメータ決定部１２１から出力されるパラメータ値とを基に乗数および被乗数を決定して、決定した乗数と被乗数をリソース部１３２に出力し、リソース部１３２の乗算器６０５が乗算して得られた乗算結果を乗算器６０５から取得する。そして、垂直方向ローパスフィルタ５５３は、この取得した乗算結果に基づいて、水平方向最大値検出部５５２からシリアルで入力される輝度信号Ｉに対して高周波成分を除去して出力する。
【００５２】
このような垂直方向ローパスフィルタ部５５３の高周波成分を除去する動作は、上述の水平方向ローパスフィルタ部５５１の動作と同様であって、垂直方向ローパスフィルタ部５５３は、フレーム内の垂直方向に沿った画素の輝度信号Ｉの変化率に対する乗算を乗算器６０５に実行させる。
垂直方向最大値検出部５５４は、垂直方向ローパスフィルタ部５５３から出力された輝度信号Ｉを取得し、１フレーム毎の各垂直方向の画素単位で最大値を検出して、最大値保持部５５５に出力する。
【００５３】
最大値保持部５５５は、垂直方向最大値検出部５５４から出力された値、すなわち、各フレームにおける各画素の輝度信号Ｉの最大値を保持し、データ解析部１２３に出力する。
この最大値検出部１１８で用いる乗算器６０５は、リソース部１３２に備えられ、画像表示制御部１０３の各部が共同で使用可能である。そして、リソース制御部１３１が後述する所定のタイミングでこの乗算器６０５を備えるリソースユニット６１０を、最大値検出部１１８に割り当てる。これにより、最大値検出部１１８は、そのタイミングにて乗算器６０５を使用することができる。
【００５４】
図１０は、合計値計算部１１９の構成を示すブロック図である。合計値計算部１１９は、データリミット部６５１と、加算器６５２と、合計値保持部６５３とを備えており、フレーム毎に各画素の彩度信号と輝度信号のそれぞれの合計値を求める。この合計値の平均を取ることにより、フレーム毎にそのフレームの輝度及び彩度の概算値が特定される。
データリミット部６５１は、第１色空間変換部１１２から出力される画素毎の輝度信号Ｉおよび彩度信号Ｓ１を有効である上限値に制限して加算器６５２に出力する。
【００５５】
このとき、データリミット部６５１は、パラメータ決定部１２１から出力されるパラメータ値と、第１色空間変換部１１２から出力される画素毎の輝度信号Ｉとから、画素毎の輝度信号Ｉにおいて有効である上限値を算出するとともに、同じくパラメータ値と第１色空間変換部１１２から出力される画素毎の彩度信号Ｓ１とから、画素毎の彩度信号Ｓ１において有効である上限値を算出する。そして、データリミット部６５１は、第１色空間変換部１１２から出力される画素毎の輝度信号Ｉと彩度信号Ｓ１が算出した上限値を超えているときは、その輝度信号Ｉと彩度信号Ｓ１を上記算出した上限値にして加算器６５２に出力する。
【００５６】
この輝度信号Ｉの上限値を算出するときに、データリミット部６５１は、画素毎の輝度信号Ｉとパラメータ値とから乗数および被乗数を求めてリソース部１３２に出力し、リソース部１３２の乗算器６０５が乗数と被乗数を乗算した乗算結果を乗算器６０５から取得して上限値とする。彩度信号Ｓ１についても同様である。
【００５７】
図１１は、データリミット部６５１が取得した輝度信号Ｉに対して上限設定を行う動作を説明するための説明図である。
データリミット部６５１は、図１１に示すように、第１色空間変換部１１２から各画素の輝度信号Ｉを取得し、その取得した輝度信号Ｉにより示される輝度ＩｉがＸ２未満である場合には、Ｉｏ＝ａ２×Ｉｉ＋ｂ２の演算を乗算器６０５に実行させることで輝度Ｉｉを輝度Ｉｏに変換する。ここで、ａ２，ｂ２はパラメータ決定部１２１から出力されるパラメータ値に基づいて決定される。また、データリミット部６５１は、輝度ＩｉがＸ２以上である場合には、Ｉｏ＝ａ２×Ｘ２＋ｂ２（＝Ｙ１）の演算を乗算器６０５に実行させることで輝度Ｉｉを一定値に変換する。そしてデータリミット部６５１は、輝度Ｉｏに応じた輝度信号Ｉを加算器６５２に対して出力する。
【００５８】
図１２は、データリミット部６５１が取得した彩度信号Ｓ１に対して上限設定を行う動作を説明するための説明図である。
データリミット部６５１は、図１２に示すように、第１色空間変換部１１２から各画素の彩度信号Ｓ１を取得し、その取得した彩度信号Ｓ１により示される彩度Ｓ１ｉがＸ３未満である場合には、Ｓ１ｏ＝ａ３×Ｓ１ｉ＋ｂ３の演算を乗算器６０５に実行させることで彩度Ｓ１ｉを彩度Ｓ１ｏに変換する。また、データリミット部６５１は、彩度Ｓ１ｉがＸ３以上であってＸ４未満の場合には、Ｓ１ｏ＝ａ３×Ｘ３＋ｂ３（＝Ｙ３）の演算を乗算器６０５に実行させることで彩度Ｓ１ｉを一定値に変換する。さらに、データリミット部６５１は、彩度Ｓ１ｉがＸ４以上である場合には、Ｓ１ｏ＝ａ４×Ｓ１ｉ＋ｂ４の演算を乗算器６０５に実行させることで彩度Ｓ１ｉを彩度Ｓ１ｏに変換する。ここで、上述のａ３，ａ４，ｂ３，ｂ４はパラメータ決定部１２１から出力されるパラメータ値に基づいて決定される。そしてデータリミット部６５１は、彩度Ｓ１ｏに応じた彩度信号Ｓ１を加算器６５２に対して出力する。
【００５９】
加算器６５２は、データリミット部６５１から出力された各画素の輝度信号Ｉをフレーム毎に加算して合計値を算出して合計値保持部６５３に出力するとともに、各画素の彩度信号Ｓ１をフレーム毎に加算して合計値を算出し合計値保持部６５３に出力する。
合計値保持部６５３は、加算器６５２が出力した各フレームにおける画素毎の輝度信号Ｉの合計値と、各フレームにおける彩度信号Ｓ１の合計値とを保持し、データ解析部１２３に出力する。
【００６０】
この合計値計算部１１９で用いる乗算器６０５は、リソース部１３２に備えられ、画像表示制御部１０３の各部が共同で使用可能である。そして、リソース制御部１３１が後述する所定のタイミングでこの乗算器６０５を備えるリソースユニット６１０を、合計値計算部１１９に割り当てる。これにより、合計値計算部１１９は、そのタイミングにて乗算器６０５を使用することができる。
【００６１】
データ解析部１２３は、合計値計算部１１９から出力されるフレーム毎の各画素における輝度信号Ｉの合計値と彩度信号Ｓ１の合計値とから、フレーム毎の各画素における輝度信号Ｉの平均値と彩度信号Ｓ１の平均値とをそれぞれ求め、それぞれの平均値と、最大値検出部１１８から出力されるフレーム毎の各画素における輝度信号Ｉの最大値とからフレーム毎の画像の状態を解析する。データ解析部１２３は、その画像の状態に応じて輝度信号および彩度信号を適切に制御するための制御量を示す信号をパラメータ決定部１２１に出力すると共に、バックライト１０２の発光光量を適切に制御するための制御量を示す信号をバックライト調整部１２４に出力する。
【００６２】
バックライト調整部１２４は、データ解析部１２３から出力される信号（制御量）に応じて、バックライト１０２の発光光量を調整するための調整値を演算し、バックライト１０２に出力する。
次に、画像信号変換部１４０について説明する。画像信号変換部１４０は輝度変換部１１３と彩度変換部１１４を備え、画像状態検出部１２０が検出した画像の状態を基に、各画素の輝度信号Ｉおよび彩度信号Ｓ１を変換する。
【００６３】
輝度変換部１１３は、第１色空間変換部１１２が出力する輝度信号Ｉに対して、パラメータ決定部１２１が決定したパラメータ値に基づいて演算処理を施すことで、輝度信号Ｉを輝度信号Ｉ'に変換して第２色空間変換部１１５に出力する。
つまり、輝度変換部１１３は、図７に示す計算部６００を具備している。この輝度変換部１１３において、計算部６００の乗数決定部６０１に入力される乗数データ、および被乗数決定部６０２に入力される被乗数データは、いずれも第１色空間変換部１１２から出力される画素毎の輝度信号Ｉである。
【００６４】
また、上述したように、データ解析部１２３は、画像状態検出部１２０が検出したフレーム毎の画像の状態に応じて輝度信号および彩度信号を適切に制御するための制御量を示す信号をパラメータ決定部１２１に出力する。パラメータ決定部１２１は、その制御量を基に輝度信号Ｉを変換するためのパラメータ値を決定する。
輝度変換部１１３が具備する計算部６００は、入力される乗数データである輝度信号Ｉとパラメータ決定部１２１が決定するパラメータ値とを基に、リソース部１３２の乗数テーブル６０４を参照して乗数を決定するとともに、入力される被乗数データである輝度信号Ｉとパラメータ決定部１２１が決定するパラメータ値とを基に被乗数を決定する。そして計算部６００の計算制御部６０３は、その乗数と被乗数をリソース部１３２の乗算器６０５に出力し、乗算器６０５が乗算した結果を乗算器６０５から取得し、変換された輝度信号Ｉ'として第２色空間変換部１１５に出力する。
【００６５】
即ち、輝度変換部１１３は、（輝度信号Ｉとパラメータ値に基づいて乗数テーブル６０４から特定される乗数）×（輝度信号Ｉとパラメータ値に基いて特定される被乗数）の乗算を乗算器６０５に実行させることにより、輝度信号Ｉを輝度信号Ｉ'に変換する。
このように、輝度変換部１１３では、フレーム毎の画像の状態に応じて輝度信号Ｉを変換する。例えばフレーム毎の画像が全体的に輝度の低い画像であれば輝度を高くする余裕があるとして、輝度変換部１１３はその輝度が高くなるように輝度信号Ｉを変換する。このとき、データ解析部１２３からの制御信号によりバックライト調整部１２４は、高くされた輝度に対応させて、バックライト１０２の発光光量を下げる。これにより、実際に見える画像の状態を変化させずにバックライトの発光光量を下げて省電力化を図ることができる。
【００６６】
この輝度変換部１１３が用いる乗数テーブル６０４および乗算器６０５からなるリソースユニット６１０は、リソース部１３２に備えられ、画像表示制御部１０３の各部が共同で使用可能である。そして、リソース制御部１３１が後述する所定のタイミングでこのリソースユニット６１０を、輝度変換部１１３に割り当てる。これにより、輝度変換部１１３は、そのタイミングにて乗数テーブル６０４および乗算器６０５を使用することができる。
【００６７】
ここで、輝度変換部１１３は、画像状態検出部１２０が検出したフレーム毎の画像の状態を基に輝度信号Ｉの変換を行うが、前回のフレームにおいて検出した画像の状態を基に、その検出した画像の次のフレームにおける輝度信号Ｉを変換している。画像信号は１秒間に１０フレームから１５フレーム分だけ入力されるので、１フレーム間の画像信号の差はほとんどない。そのため、前回のフレームにおいて検出した画像の状態を基にその次のフレームにおける輝度信号Ｉの変換を行っても視覚的に問題はない。
【００６８】
なお、検出した画像（フレーム）の状態を基に同一のフレームにおける輝度信号Ｉを変換するようにしてもよい。この場合、メモリなどに１フレームの画像信号を記憶させ、そのフレームの状態を検出し、その検出した結果を基にそのフレームの輝度信号Ｉを変換すればよい。
【００６９】
次に、彩度変換部１１４について説明する。彩度変換部１１４は、第１色空間変換部１１２が出力する彩度信号Ｓ１に、パラメータ決定部１２１が決定したパラメータ値に基づいて演算処理を施すことにより、その彩度信号Ｓ１を彩度信号Ｓ１'に変換して第２色空間変換部１１５に出力する。
【００７０】
つまり、彩度変換部１１４は、図７に示す計算部６００を具備している。この彩度変換部１１４において、計算部６００の乗数決定部６０１に入力される乗数データ、および被乗数決定部６０２に入力される被乗数データは、いずれも第１色空間変換部１１２から出力される画素毎の彩度信号Ｓ１に基づくものである。
【００７１】
また、上述したように、データ解析部１２３は、画像状態検出部１２０が検出したフレーム毎の画像の状態に応じて輝度信号および彩度信号を適切に制御する制御量を示す信号をパラメータ決定部１２１に出力する。パラメータ決定部１２１は、その制御量を基に彩度信号Ｓ１を変換するためのパラメータ値を決定する。
【００７２】
彩度変換部１１４が具備する計算部６００は、入力される乗数データである彩度信号Ｓ１とパラメータ決定部１２１が決定するパラメータ値とを基に、リソース部１３２の乗数テーブル６０４を参照して乗数を決定するとともに、入力される被乗数データである彩度信号Ｓ１とパラメータ決定部１２１が決定するパラメータ値とを基に被乗数を決定する。そして計算部６００の計算制御部６０３は、その乗数と被乗数をリソース部１３２の乗算器６０５に出力し、乗算器６０５が乗算した結果を乗算器６０５から取得し、変換された彩度信号Ｓ１'として第２色空間変換部１１５に出力する。
【００７３】
即ち、彩度変換部１１４は、（彩度信号Ｓ１とパラメータ値に基づいて乗数テーブル６０４から特定される乗数）×（彩度信号Ｓ１とパラメータ値に基いて特定される被乗数）の乗算を乗算器６０５に実行させることにより、彩度信号Ｓ１を彩度信号Ｓ１'に変換する。
このように、彩度変換部１１４では、フレーム毎の画像の状態に応じて彩度信号Ｓ１を変換する。例えばフレーム毎の画像が全体的に彩度の低い画像であれば、全体的に彩度を高くする余裕があるとして、彩度変換部１１４は、その彩度が大きくなるように彩度信号Ｓ１を変換する。このとき、データ解析部１２３からの制御信号によりバックライト調整部１２４は、大きくされた彩度に対応させて、バックライト１０２の発光光量を下げる。これにより、実際に見える画像の状態を変化させずにバックライトの発光光量を下げて省電力化を図ることができる。
【００７４】
この彩度変換部１１４が用いる乗数テーブル６０４および乗算器６０５からなるリソースユニット６１０は、リソース部１３２に備えられ、画像表示制御部１０３の各部が共同で使用可能である。そして、リソース制御部１３１が後述する所定のタイミングでこのリソースユニット６１０を、彩度変換部１１４に割り当てる。これにより、彩度変換部１１４は、そのタイミングにて乗数テーブル６０４および乗算器６０５を使用することができる。
【００７５】
ここで、彩度変換部１１４は、画像状態検出部１２０が検出したフレーム毎の画像の状態を基に彩度信号Ｓ１の変換を行うが、前回のフレームにおいて検出した画像の状態を基に、その検出した画像の次のフレームにおける彩度信号Ｓ１を変換している。画像信号は１秒間に１０フレームから１５フレーム分だけ入力されるので、１フレーム間の画像信号の差はほとんどない。そのため、前回のフレームにおいて検出した画像の状態を基にその次のフレームにおける彩度信号Ｓ１の変換を行っても視覚的に問題はない。
【００７６】
なお、検出した画像（フレーム）の状態を基に同一のフレームにおける彩度信号Ｓ１を変換するようにしてもよい。この場合、メモリなどに１フレームの画像信号を記憶させ、そのフレームの状態を検出し、その検出した結果を基にそのフレームの彩度信号Ｓ１を変換すればよい。
【００７７】
次に第２色空間変換部１１５について説明する。
図１３は、第２色空間変換部１１５の内部構成の一例を示すブロック図である。第２色空間変換部１１５は、最大値計算部７０１と、中間値計算部７０２と、最小値計算部７０３と、データ選択部７０４とを備えている。
このような第２色空間変換部１１５は、輝度変換部１１３から出力される輝度信号Ｉ'と、彩度変換部１１４から出力される彩度信号Ｓ１'と、第１色空間変換部１１２から出力される色相信号Ｈおよび彩度信号Ｓ２と、パラメータ決定部１２１から出力されるパラメータ値とを基に、色の各成分信号である成分信号Ｒ'と成分信号Ｇ'と成分信号Ｂ'とを生成して減色処理部１１６へ出力する。
【００７８】
ここで、最大値計算部７０１、中間値計算部７０２、および最小値計算部７０３はそれぞれ、図７に示す計算部６００を具備している。
この最大値計算部７０１、中間値計算部７０２、および最小値計算部７０３のそれぞれにおいて、計算部６００の乗数決定部６０１に入力される乗数データ、および被乗数決定部６０２に入力される被乗数データはそれぞれ、上述した輝度信号Ｉ'、彩度信号Ｓ１'、彩度信号Ｓ２のいずれかの組み合わせに基づく値である。
【００７９】
最大値計算部７０１、中間値計算部７０２、最小値計算部７０３のそれぞれにおいて、計算部６００は、入力される乗数データである上述した組み合わせに基づく値と、パラメータ決定部１２１が決定するパラメータ値とを基に、リソース部１３２の乗数テーブル６０４を参照して乗数を決定するとともに、入力される被乗数データである上述した組み合わせに基づく値と、パラメータ決定部１２１が決定するパラメータ値とを基に被乗数を決定する。
【００８０】
そして最大値計算部７０１、中間値計算部７０２、最小値計算部７０３のそれぞれにおいて、計算部６００の計算制御部６０３は、決定された乗数および被乗数をリソース部１３２の乗算器６０５に出力し、乗算器６０５が乗算した結果を乗算器６０５から取得し、それぞれの計算結果である最大値、中間値、および最小値をデータ選択部７０４に出力する。
【００８１】
即ち、最大値計算部７０１、中間値計算部７０２、最小値計算部７０３のそれぞれは、（輝度信号Ｉ'及び彩度信号Ｓ１'並びに彩度信号Ｓ２の組み合わせに基づく値とパラメータ値とから乗数テーブル６０４を参照して特定される乗数）×（輝度信号Ｉ'及び彩度信号Ｓ１'並びに彩度信号Ｓ２の組み合わせに基づく値とパラメータ値とから特定される被乗数）の乗算を乗算器６０５に実行させる。
【００８２】
そして最大値計算部７０１は、上記組み合わせを変えて得られる乗算結果のうちで最大値を出力し、中間値計算部７０２は、上記組み合わせを変えて得られる乗算結果のうちで中間値を出力し、最小値計算部７０３は、上記組み合わせを変えて得られる乗算結果のうちで最小値を出力する。なお、上述したパラメータ値は、最大値計算部７０１、中間値計算部７０２、最小値計算部７０３のそれぞれにおいて異なる値となる。
【００８３】
データ選択部７０４は、第１色空間変換部１１２から出力される色相信号Ｈに基づいて、最大値計算部７０１と中間値計算部７０２と最小値計算部７０３とから出力される計算結果である最大値、中間値、および最小値のうちいずれかを選択して、色のＲＧＢ成分を示す成分信号Ｒ'、成分信号Ｇ'、成分信号Ｂ'として減色処理部１１６に出力する。
この第２色空間変換部１１５が用いる乗数テーブル６０４および乗算器６０５からなるリソースユニット６１０は、リソース部１３２に備えられ、画像表示制御部１０３の各部が共同で使用可能である。そして、リソース制御部１３１が後述する所定のタイミングでこのリソースユニット６１０を、第２色空間変換部１１５に割り当てる。これにより、第２色空間変換部１１５は、そのタイミングにて乗数テーブル６０４および乗算器６０５を使用することができる。
【００８４】
次に、減色処理部１１６について説明する。
図１４は、減色処理部１１６の構成を示すブロック図である。減色処理部１１６は、Ｒ成分減色部８０１とＧ成分減色部８０２とＢ成分減色部８０３とを備えている。このような減色処理部１１６は、第２色空間変換部１１５が出力する色の成分信号Ｒ'、成分信号Ｇ'、および成分信号Ｂ'を取得して、それぞれの成分信号における色の階調を変更して出力信号選択部１１７へ出力する。例えば、各成分信号が８ビットの信号である場合、ディザ処理を施すことにより液晶表示画面１０１が表示可能な５ビットの信号に変更する。
【００８５】
Ｒ成分減色部８０１と、Ｇ成分減色部８０２と、Ｂ成分減色部８０３はそれぞれ、パラメータ決定部１２１が決定したパラメータ値に応じて、第２色空間変換部１０５から出力された色の成分信号Ｒ'、成分信号Ｇ'、成分信号Ｂ'における色の階調を変更して成分信号Ｒ"、成分信号Ｇ"、成分信号Ｂ"からなる画像信号を出力信号選択部１１７に出力する。このとき、パラメータ決定部１２１は、ユーザからの入力に応じてパラメータ値を設定する。また、パラメータ決定部１２１は、フレーム毎の画像の状態に応じてこのパラメータ値を変更することができる。
【００８６】
図１５は、第２色空間変換部１１５から出力された色の成分信号に対して、色の階調の変更が行われた様子の一例を示す図である。
この例では、Ｒ成分減色部８０１とＧ成分減色部８０２とＢ成分減色部８０３は、色の階調が８ビットである成分信号８５１に対して効果的な減色処理（例えば、ディザ処理）を施すことにより、その成分信号８５１を色の階調が５ビットである成分信号８５２に変更している。
【００８７】
出力信号選択部１１７は、ユーザの指示によりパラメータ決定部１２１が決定したパラメータ値に基づいて、画像表示制御部１０３に入力される画像信号と、減色処理部１１６から出力される画像信号のうちのいずれか一方の画像信号をフレーム毎に選択して、選択した方の画像信号をディスプレイコントローラ１２２に出力する。
ディスプレイコントローラ１２２は、出力信号選択部１１７が選択した画像信号を基に液晶表示画面１０１の液晶の透過率を演算し、液晶表示画面１０１に出力する。
【００８８】
ここで、本実施の形態におけるリソース制御部１３１について説明する。
図１６は、リソース制御部１３１に入力される動作クロックと、画像信号の入力タイミングと、各部にリソースユニット６１０を配分する配分状態を示すタイムチャートである。
図１６において、その最上段はリソース制御部１３１に入力される動作クロックを示しており、次段は画像表示制御装置１０３に入力される画像信号の画素単位での入力タイミングを示しており、最下段はリソース制御部１３１に入力される動作クロックの周期のカウント数に応じたリソースユニット６１０の配分状態を示している。
【００８９】
図１６に示すように、時刻ｔ１および時刻ｔ２は画素単位での画像信号の入力時刻であり、画像信号は画素単位で動作クロックの８周期毎に入力される。
画像表示制御部１０３に画素単位で画像信号が入力されると（時刻ｔ１）、リソース制御部１３１は、クロック部１３５から入力される動作クロックの周期のカウントを開始する。リソース制御部１３１は、カウント数が１のときは、第１色空間変換部１１２にリソース部１３２のリソースユニット６１０を割り当て、カウント数が２のときは、その第１色空間変換部１１２の代わりに輝度変換部１１３に対してリソースユニット６１０を割り当て、カウント数が３のときは、その輝度変換部１１３の代わりに彩度変換部１１４に対してリソースユニット６１０を割り当て、カウント数が４のときは、その彩度変換部１１４の代わりに第２色空間変換部１１５に対してリソースユニット６１０を割り当て、カウント数が５のときは、その第２色空間変換部１１５の代わりに最大値検出部１１８に対してリソースユニット６１０を割り当て、カウント数が６のときは、その最大値検出部１１８の代わりに合計値計算部１１９に対してリソースユニット６１０を割り当てる。
【００９０】
すなわち、この割り当てられた時刻において、輝度変換部１１３などの各部はリソースユニット６１０における乗算器６０５などのリソースを使用することができる。このとき、リソース制御部１３１は、第１色空間変換部１１２、輝度変換部１１３、彩度変換部１１４、第２色空間変換部１１５、最大値検出部１１８、および合計値計算部１１９が行う処理に応じて割り当てるリソースユニット６１０の数を変える。例えば、第１色空間変換部１１２が行う処理に、２つのリソースユニット６１０を要し、輝度変換部１１３が行う処理に、３つのリソースユニット６１０を要する場合には、リソース制御部１３１は、カウント数１のときに第１色空間変換部１１２に２つのリソースユニット６１０を割り当て、その後、カウント数２のときに、第１色空間変換部１１２への割り当てを禁止して、輝度変換部１１３にその２つのリソースユニット６１０と他の１つのリソースユニット６１０とを割り当てる。
【００９１】
また、第１色空間変換部１１２に備えられた色相計算部５０２、輝度計算部５０３、第１彩度計算部５０４、及び第２彩度計算部５０５のそれぞれに対して順に、リソースユニット６１０が割り当てられる。なお、リソース制御部１３１が第１色空間変換部１１２の色相計算部５０２、輝度計算部５０３、第１彩度計算部５０４、及び第２彩度計算部５０５のそれぞれにリソースユニット６１０を割り当てて、リソースユニット６１０が割り当てられた各部がそのリソースユニット６１０を用いて同時に処理を実行しても良い。
【００９２】
次に、リソース制御部１３１がリソース部１３２のリソースユニット６１０の割り当てを行う動作を説明する。
図１７は、リソース制御部１３１の動作を示すフローチャートである。
まず、リソース制御部１３１は、画像信号のうち１つの画素を示す画素信号が画像表示制御部１０３に入力されたか否かを判別し（ステップＳ１）、画素信号が入力されたと判別すると（ステップＳ１のＹ）、内蔵するカウンタのカウント数Ｃをリセットする（ステップＳ２）。なお、図１７に示す例では、画素信号は動作クロックの６周期毎に入力されるとする。
【００９３】
次に、リソース制御部１３１は、クロック部１３５から入力された動作クロックの周期が一巡したか否かを判別し（ステップＳ３）、一巡したと判定すると（ステップＳ３のＹ）、カウンタのカウントアップを開始する（ステップＳ４）。
リソース制御部１３１は、カウンタのカウント数Ｃが１であるか否かの判定を行い（ステップＳ５）、カウント数Ｃが１である場合は（ステップＳ５のＹ）、第１色空間変換部１１２にリソース部１３２のリソースユニット６１０を割り当て（ステップＳ６）、再度動作クロックの周期が一巡したか否かの判断を行う（ステップＳ３）。
【００９４】
また、リソース制御部１３１は、カウンタのカウント数Ｃが１でないと判定した場合は（ステップＳ５のＮ）、カウント数Ｃが２であるか否かの判定を行い（ステップＳ７）、カウント数Ｃが２であると判定した場合は、第１色空間変換部１１２の代わりに輝度変換部１１３に対してリソース部１３２のリソースユニット６１０を割り当て（ステップＳ８）、再度動作クロックの周期が一巡したか否かの判断を行う（ステップＳ３）。
【００９５】
また、リソース制御部１３１は、カウンタのカウント数Ｃが２でないと判定した場合（ステップＳ７のＮ）、カウンタのカウント数Ｃが３であるか否かの判定を行い（ステップＳ９）、カウント数Ｃが３であると判定した場合は、輝度変換部１１３の代わりに彩度変換部１１４に対してリソース部１３２のリソースユニット６１０を割り当て（ステップＳ１０）、再度動作クロックの周期が一巡したか否かの判断を行う（ステップＳ３）。
【００９６】
また、リソース制御部１３１は、カウンタのカウント数Ｃが３でないと判定した場合（ステップＳ９のＮ）、カウンタのカウント数Ｃが４であるか否かの判定を行い（ステップＳ１１）、カウント数Ｃが４であると判定した場合は、彩度変換部１１４の代わりに第２色空間変換部１１５に対してリソース部１３２のリソースユニット６１０を割り当て（ステップＳ１２）、再度動作クロックの周期が一巡したか否かの判断を行う（ステップＳ３）。
【００９７】
また、リソース制御部１３１は、カウンタのカウント数Ｃが４でないと判定した場合（ステップＳ１１のＮ）、カウンタのカウント数Ｃが５であるか否かの判定を行い（ステップＳ１３）、カウント数Ｃが５であると判定した場合は、第２色空間変換部１１５の代わりに最大値検出部１１８に対してリソース部１３２のリソースユニット６１０を割り当て（ステップＳ１４）、再度動作クロックの周期が一巡したか否かの判断を行う（ステップＳ３）。
【００９８】
また、リソース制御部１３１は、カウンタのカウント数Ｃが５でないと判定した場合（ステップＳ１３のＮ）、最大値検出部１１８の代わりに合計値計算部１１９に対してリソース部１３２のリソースユニット６１０を割り当て（ステップＳ１５）、再度画素信号が入力されたか否かの判断を行う（ステップＳ１）。
本実施の形態における画像表示装置１００によれば、リソース制御部１３１が動作クロックの周期のカウント数に応じて、第１色空間変換部１１２、輝度変換部１１３、彩度変換部１１４、最大値検出部１１８、合計値計算部１１９、及び第２色空間変換部１１５などの各部に、乗数テーブル６０４および乗算器６０５を具備するリソースユニット６１０を順次割り当て、上記輝度変換部１１３などの各部が処理を行うときに割り当てられたリソースユニット６１０を用いるため、上記輝度変換部１１３などの各部は同一のリソースユニット６１０を共通で使用することができる。そのため、画像表示制御部１０３のリソースユニット６１０を大幅に削減することができ、画像表示装置１００の回路規模を小さくすることができる。
【００９９】
本実施の形態における画像表示装置１００が携帯電話器などの携帯端末に搭載された場合、液晶表示画面１０１の画面サイズが小さいため、画像表示制御部１０３に入力される画像信号の画素と画素の間隔は、携帯端末の動作クロックの周期に比べて非常に長い。また、画像表示制御部１０３に入力される画像信号が格納されているメモリの画像表示制御部１０３への転送レートも携帯端末の動作クロックの周期に比べて遅いので、画像表示制御部１０３に入力される画像信号の画素と画素との間隔は、非常に長いのが一般的である。
【０１００】
このように画像表示制御部１０３に入力される画像信号の画素と画素との間隔が長い場合、リソースユニット６１０を動作クロックのカウント数などに応じたタイミングで各部に切り換えて割り当てることで、小さな又は少ないリソースユニット６１０を各部で共通に用いることが可能となる。これにより、余分なリソースユニット６１０を省略して、画像表示制御部１０３を搭載する携帯端末などの機器の回路規模を小さくすることができる。本実施の形態は、携帯電話器に代表される携帯端末への実装に対して、極めて現実的なものであり、非常に有効である。
【０１０１】
一方、画像表示制御部１０３に入力される画像信号が格納されている上記メモリの転送レートが高速であり、画像表示制御部１０３に入力される画像信号の画素と画素の間隔が短い場合には、リソース制御部１３１が輝度変換部１１３や最大値検出部１１８などの各部に割り当てるリソーユニット６１０の数を増やすようにすればよい。
即ち、転送レートが高速である場合には、リソース制御部１３１は、リソースユニット６１０を第１色空間変換部１１２や輝度変換部１１３などの各部に同時に割り当てて、それぞれに割り当てられたリソースユニット６１０による乗算を並列に実行させる。
【０１０２】
図１８は、リソース制御部１３１が３つのリソースユニット６１０を並列的に割り当てる動作の一例を示す動作説明図である。ここでは、３つのリソースユニット６１０を区別するため、それぞれをリソースユニット６１０ａ，６１０ｂ，６１０ｃとして表す。
例えば、リソース制御部１３１は、図１８に示すように、時刻ｔ１０〜ｔ１１の間では、リソースユニット６１０ａを第１色空間変換部１１２に割り当て、リソースユニット６１０ｂを輝度変換部１１３に割り当て、リソースユニット６１０ｃを彩度変換部１１４に割り当てる。これにより、第１色空間変換部１１２及び輝度変換部１１３並びに彩度変換部１１４は、３つのリソースユニット６１０ａ，６１０ｂ，６１０ｃに対して乗算を並列に実行させる。
【０１０３】
次に時刻ｔ１１〜ｔ１２の間では、リソース制御部１３１は、リソースユニット６１０ａを第１色空間変換部１１２から第２色空間変換部１１５に割り当て直し、リソースユニット６１０ｂを輝度変換部１１３から最大値検出部１１８に割り当て直し、リソースユニット６１０ｃを彩度変換部１１４から合計値計算部１１９に割り当て直す。これにより、第２色空間変換部１１５及び最大値検出部１１８並びに合計値計算部１１９は、３つのリソースユニット６１０ａ，６１０ｂ，６１０ｃに対して乗算を並列に実行させる。
【０１０４】
そして時刻ｔ１２以降では、上記時刻ｔ１０〜ｔ１２において行われた３つのリソースユニット６１０ａ，６１０ｂ，６１０ｃの割り当てが繰り返し実行される。
以上、本発明に係る画像表示装置１００について、本実施の形態を用いて説明したが、本発明はこれらに限定されるものではない。
例えば、本実施の形態では、画像表示装置１００に液晶表示画面１０１及びバックライト１０２を１組だけ備えたが、複数組の液晶表示画面１０１及びバックライト１０２を備えても良く、各組ごとに大きさを異ならせても良い。
【０１０５】
例えば、互いに大きさの異なる２組の液晶表示画面１０１及びバックライト１０２が画像表示装置１００に備えられている場合には、パラメータ決定部１２１はユーザからの操作に基づき何れの液晶表示画面１０１に画像を表示させるかを選択する。そして画像表示制御部１０３に備えられた各部は、選択された液晶表示画面１０１の大きさに応じた処理を実行してその液晶表示画面１０１に画像を表示させる。
【０１０６】
ここで、上述のように互いに大きさの異なる２組の液晶表示画面１０１及びバックライト１０２が切り換えて用いられる場合、リソース制御部１３１は、その大きさに応じて、第１色空間変換部１１２や輝度変換部１１３などの各部に割り当てられるリソースユニット６１０の数を異ならせる。
即ち、リソース制御部１３１は、大きい方の液晶表示画面１０１に画像が表示されるときには、多数のリソースユニット６１０を第１色空間変換部１１２などの各部に割り当て、小さい方の液晶表示画面１０１に画像が表示されるときには、画像信号に含まれる画素の入力間隔が長くなるため、少数のリソースユニット６１０を割り当てる。
【０１０７】
図１９は、上述の大きさの異なる２つの液晶表示画面を具備する画像表示装置１００を携帯電話器に適用させた一例を示す適用例示図である。
携帯電話器５００は、電話番号を入力するための操作ボタンなどが配設された操作部５２０と、２つの液晶表示画面１０１ａ，１０１ｂを有し、操作部５２０の一辺側に回動自在に取り付けられた表示部５１０とを備えている。表示部５１０の表面側には大きい方の液晶表示画面１０１ａが取り付けられており、表示部５１０の裏面側には小さい方の液晶表示画面１０１ｂが取り付けられている。
【０１０８】
このような携帯電話器５００は、表示部５１０が回動されることにより、表示部５１０が操作部５２０に重ね合わされて液晶表示画面１０１ａ及び操作ボタンが収納された折り畳み状態と、液晶表示画面１０１ａ及び操作ボタンが露出されて通話が可能となる通話状態とに態様を変化させる。
つまり本実施の形態の画像表示装置１００が搭載された携帯電話器５００は、ユーザの操作により通話状態になると、パラメータ決定部１２１によって大きい方の液晶表示画面１０１ａが選択され、その液晶表示画面１０１ａに画像を表示させる。
【０１０９】
ここで、ユーザが携帯電話器５００を折り畳み状態にすると、パラメータ決定部１２１によって小さい方の液晶表示画面１０１ｂが選択され、携帯電話器５００は、液晶表示画面１０１ａから液晶表示画面１０１ｂに切り換えて画像を表示させる。このとき、リソース制御部１３１は、液晶表示画面のサイズが小さくなるため、通話状態で割り当てられていた複数のリソースユニット６１０のうち、不要となるリソースユニット６１０の動作を停止させる。
【０１１０】
このように携帯電話器５００の状態に応じてリソースユニット６１０の動作を停止させることにより省電力化を図ることができる。
また、携帯電話器５００が折り畳み状態となったときには、画像表示に不要となったリソースユニット６１０の動作を停止させる代わりに、そのリソースユニット６１０を他の用途の乗算処理に用いても良い。これにより、リソースユニット６１０を有効に活用することができ、携帯電話器５００全体の小型化を図ることができる。
【０１１１】
なお、上述の説明では、携帯電話器５００の状態に応じて液晶表示画面１０１ａ，１０１ｂの何れか一方に画像を表示させたが、通話状態のときには、２つの液晶表示画面１０１ａ，１０１ｂにそれぞれ画像を表示させ、折り畳み状態のときには、液晶表示画面１０１ｂにのみ画像を表示させても良い。
また、本実施の形態では、リソースユニット６１０を複数個備えたが、リソースユニット６１０を１つだけ備えても良い。この場合には、そのリソースユニット６１０は、画像表示制御部１０３内の各部に対して順に割り当てられて使用される。
【産業上の利用可能性】
【０１１２】
本発明に係る画像表示制御装置は、リソースを大幅に削減して回路規模を小さくすることができるものであって、例えば携帯電話やノートパソコンなどの移動端末などに適用できる。
【図面の簡単な説明】
【０１１３】
【図１】本発明の実施の形態における画像表示装置の構成を示すブロック図である。
【図２】同上の画像信号を説明する説明図である。
【図３】同上の増色処理部の構成を示すブロック図である。
【図４】（ａ）は、同上の画像表示装置に入力される画素毎の色の成分信号を説明する説明図であり、（ｂ）は、階調が変更された後における画素毎の色の成分信号を説明する説明図である。
【図５】同上の増色処理部による色の階調の変更を説明する説明図である。
【図６】同上の第１色空間変換部の構成を示すブロック図である。
【図７】同上の画像表示装置の各部に用いられる計算部とリソース部の構成を示すブロック図である。
【図８】同上の最大値検出部の構成を示すブロック図である。
【図９】同上の水平方向ローパスフィルタ部の動作を説明するための説明図である。
【図１０】同上の合計値計算部の構成を示すブロック図である。
【図１１】同上のデータリミット部の輝度信号に対する動作を説明するための説明図である。
【図１２】同上のデータリミット部の彩度信号に対する動作を説明するための説明図である。
【図１３】同上の第２色空間変換部の構成を示すブロック図である。
【図１４】同上の減色処理部の構成を示すブロック図である。
【図１５】同上の減色処理部による色の階調の変更を説明する説明図である。
【図１６】同上の動作クロックと画像信号の入力タイミングと動作クロックのカウント数によるリソースの配分状態を示す配分状態説明図である。
【図１７】同上のリソース制御部の動作を示すフロー図である。
【図１８】同上のリソース制御部の他の動作を示すフロー図である。
【図１９】本実施の形態を携帯電話器に適用させた一例を示す適用例示図である。
【図２０】従来の画像表示装置の構成を示すブロック図である。
【符号の説明】
【０１１４】
１００  画像表示装置
１０１  液晶表示画面
１０２  バックライト
１０３  画像表示制御部
１１１  増色処理部
１１２  第１色空間変換部
１１３  輝度変換部
１１４  彩度変換部
１１５  第２色空間変換部
１１６  減色処理部
１１７  出力信号選択部
１１８  最大値検出部
１１９  合計値計算部
１２０  画像状態検出部
１２１  パラメータ決定部
１２２  ディスプレイコントローラ
１２３  データ解析部
１２４  バックライト調整部
１３１  リソース制御部
１３２  リソース部
１３５  クロック部
６０４  乗数テーブル
６０５  乗算器
６１０  リソースユニット
【図１】
2004191950.tif 000004
【図２】
2004191950.tif 000005
【図３】
2004191950.tif 000006
【図４】
2004191950.tif 000007
【図５】
2004191950.tif 000008
【図６】
2004191950.tif 000009
【図７】
2004191950.tif 000010
【図８】
2004191950.tif 000011
【図９】
2004191950.tif 000012
【図１０】
2004191950.tif 000013
【図１１】
2004191950.tif 000014
【図１２】
2004191950.tif 000015
【図１３】
2004191950.tif 000016
【図１４】
2004191950.tif 000017
【図１５】
2004191950.tif 000018
【図１６】
2004191950.tif 000019
【図１７】
2004191950.tif 000020
【図１８】
2004191950.tif 000021
【図１９】
2004191950.tif 000022
【図２０】
2004191950.tif 000023